(57)【特許請求の範囲】
【請求項１】
移動可能であって個別にロック可能な複数の収納庫に対して貨幣の入出庫が行われる貨幣入出庫装置と、
前記貨幣入出庫装置の位置によって変化する位置情報を検出する位置情報検出手段と、
前記位置情報検出手段が検出した前記貨幣入出庫装置の位置情報に基づいて該貨幣入出庫装置の貨幣の入庫および出庫の少なくともいずれか一方の可および不可を制御する制御手段と、
を有し、
前記位置情報検出手段は、前記位置情報として前記貨幣入出庫装置がいずれの貨幣処理機器に近接する位置にあるかを検出し、
前記制御手段は、前記位置情報検出手段によって前記貨幣入出庫装置が近接する位置にあることが検出された貨幣処理機器の識別情報が、予め設定された受け渡し対象の貨幣処理機器の識別情報と一致する場合に複数の収納庫の中から入出庫の対象となる貨幣が収納される収納庫のロックを解除し、貨幣の入庫および出庫の少なくともいずれか一方を可能とする一方、前記受け渡し対象の貨幣処理機器の識別情報と一致しない場合に貨幣の入庫および出庫を不可とすることを特徴とする貨幣処理システム。
【請求項２】
前記制御手段は、ロックが解除された収納庫の表示ランプを点灯させることを特徴とする請求項１に記載の貨幣処理システム。
【請求項３】
前記貨幣入出庫装置により入出庫を行う貨幣に関する貨幣情報を記憶する記憶手段を有し、
前記貨幣入出庫装置により入出庫された貨幣の増減分と前記記憶手段から読み出された貨幣情報とに差異がある場合にその旨を報知する報知手段を有することを特徴とする請求項１または２に記載の貨幣処理システム。
【請求項４】
前記記憶手段は、前記貨幣情報と、前記受け渡し対象の貨幣処理機器の識別情報と、予め設定された操作者の識別情報とを記憶することを特徴とする請求項３に記載の貨幣処理システム。
【請求項５】
前記貨幣入出庫装置の操作者の識別情報を読み取る読取手段を有し、
前記制御手段は、前記読取手段により読み取られた操作者の識別情報と、前記記憶手段に記憶された操作者の識別情報とが一致する場合に前記記憶手段に記憶された貨幣に関する貨幣情報を読み出すことを特徴とする請求項４に記載の貨幣処理システム。
【請求項６】
移動可能であって個別にロック可能な複数の収納庫に対して貨幣の入出庫が行われ、近接する貨幣処理機器の識別情報を取得し、当該識別情報が、予め設定された受け渡し対象の貨幣処理機器の識別情報と一致する場合に複数の収納庫の中から入出庫の対象となる貨幣が収納される収納庫のロックを解除し、貨幣の入庫および出庫の少なくともいずれか一方が可能となる一方、前記受け渡し対象の貨幣処理機器の識別情報と一致しない場合に貨幣の入庫および出庫が不可となる貨幣入出庫装置に対し通信可能に設けられて、前記受け渡し対象の貨幣処理機器の識別情報を前記貨幣入出庫装置に記憶させることを特徴とする制御装置。
【請求項７】
移動可能であって個別にロック可能な複数の収納庫に対して貨幣の入出庫が行われ、近接する貨幣処理機器の識別情報を取得し、当該識別情報が、予め設定された受け渡し対象の貨幣処理機器の識別情報と一致する場合に複数の収納庫の中から入出庫の対象となる貨幣が収納される収納庫のロックを解除し、貨幣の入庫および出庫の少なくともいずれか一方が可能となる一方、前記受け渡し対象の貨幣処理機器の識別情報と一致しない場合に貨幣の入庫および出庫が不可となることを特徴とする貨幣入出庫装置。
【請求項８】
移動可能であって個別にロック可能な複数の収納庫に対して貨幣の入出庫が行われる貨幣入出庫装置を用いた貨幣処理方法であって、
位置情報検出手段が、前記貨幣入出庫装置の位置によって変化する位置情報を検出し、
制御手段が、当該位置情報に基づいて前記貨幣入出庫装置の貨幣の入庫および出庫の少なくともいずれか一方の可および不可を制御し、
前記位置情報検出手段が、前記位置情報として前記貨幣入出庫装置がいずれの貨幣処理機器に近接する位置にあるかを検出し、
前記制御手段が、前記貨幣入出庫装置が近接する位置にあることが検出された貨幣処理機器の識別情報が、予め設定された受け渡し対象の貨幣処理機器の識別情報と一致する場合に複数の収納庫の中から入出庫の対象となる貨幣が収納される収納庫のロックを解除し、貨幣の入庫および出庫の少なくともいずれか一方を可能とする一方、前記受け渡し対象の貨幣処理機器の識別情報と一致しない場合に貨幣の入庫および出庫を不可とすることを特徴とする貨幣処理方法。
【発明の詳細な説明】
【技術分野】
【０００１】
本発明は、貨幣処理システム、制御装置、貨幣入出庫装置および貨幣処理方法に関する。
【背景技術】
【０００２】
小束紙幣および棒金を収納し保管する現金管理装置を出納機と通信可能に接続したシステムがある（例えば特許文献１参照）。
【先行技術文献】
【特許文献】
【０００３】
【特許文献１】特開２０１５−１９１４８６号公報
【発明の概要】
【発明が解決しようとする課題】
【０００４】
ところで、金融機関の店舗等において、顧客用の両替機、テラー用の窓口機、顧客用の現金自動預払機等の貨幣処理機器に貨幣を装填する場合、貨幣入出庫装置から貨幣を出庫して係員が貨幣処理機器の近くまで運搬し貨幣を装填することが行われている。また、貨幣処理機器から貨幣を回収する場合、貨幣処理機器から回収した貨幣を係員が貨幣入出庫装置の近くまで運搬し入庫することが行われている。しかしながら、例えば複数の機器に装填または回収を行う場合、貨幣入出庫装置から貨幣処理機器に貨幣を装填したり、貨幣処理機器から貨幣入出庫装置に貨幣を回収する受け渡しの際に、受け渡し対象物を取り違えてしまったり、紛失してしまったりする可能性がある。
【０００５】
本発明は、上記の点に鑑みなされたもので、貨幣類を安全に取扱うことができる貨幣処理システム、制御装置、貨幣入出庫装置および貨幣処理方法の提供を目的とする。
【課題を解決するための手段】
【０００６】
上記目的を達成するために、本発明に係る第１の態様は、移動可能であって個別にロック可能な複数の収納庫に対して貨幣の入出庫が行われる貨幣入出庫装置と、前記貨幣入出庫装置の位置によって変化する位置情報を検出する位置情報検出手段と、前記位置情報検出手段が検出した前記貨幣入出庫装置の位置情報に基づいて該貨幣入出庫装置の貨幣の入庫および出庫の少なくともいずれか一方の可および不可を制御する制御手段と、を有することを特徴とする。
【０００７】
上記第１の態様によれば、位置情報検出手段が貨幣入出庫装置の位置によって変化する位置情報を検出し、この貨幣入出庫装置の位置情報に基づいて、制御手段が、貨幣入出庫装置における貨幣の入庫および出庫の少なくともいずれか一方の可および不可を制御することになる。これにより、貨幣の入庫および出庫の少なくともいずれか一方が行われるのに相応しい位置に貨幣入出庫装置があるときに貨幣の入庫および出庫の少なくともいずれか一方を可能とし、貨幣の入庫および出庫の少なくともいずれか一方が行われるのに相応しくない位置に貨幣入出庫装置があるときに貨幣の入庫および出庫の少なくともいずれか一方を不可とすることができ、受け渡し対象物を取り違えてしまう可能性を低減可能となる。
【０００８】
本発明に係る第１の態様は、上記において、前記位置情報検出手段は、前記位置情報として前記貨幣入出庫装置がいずれの貨幣処理機器に近接する位置にあるかを検出し、前記制御手段は、前記位置情報検出手段によって前記貨幣入出庫装置が近接する位置にあることが検出された貨幣処理機器の識別情報が、予め設定された受け渡し対象の貨幣処理機器の識別情報と一致する場合に複数の収納庫の中から入出庫の対象となる貨幣が収納される収納庫のロックを解除し、貨幣の入庫および出庫の少なくともいずれか一方を可能とする一方、前記受け渡し対象の貨幣処理機器の識別情報と一致しない場合に貨幣の入庫および出庫を不可とすることを特徴とする。
【０００９】
上記第１の態様によれば、位置情報検出手段が位置情報として貨幣入出庫装置がいずれの貨幣処理機器に近接する位置にあるかを検出すると、制御手段は、貨幣入出庫装置が近接する位置にあることが検出された貨幣処理機器の識別情報が、予め設定された受け渡し対象の貨幣処理機器の識別情報と一致する場合に貨幣の出庫を可能とする一方、この受け渡し対象の貨幣処理機器の識別情報と一致しない場合に貨幣の出庫を不可とする。これにより、貨幣入出庫装置が、受け渡し対象の貨幣処理機器に近接する位置にある場合に貨幣の出庫を可能とし、受け渡し対象の貨幣処理機器に近接する位置にない場合に貨幣の出庫を不可とすることができ、受け渡し対象の貨幣処理機器を取り違えてしまう可能性を低減可能となる。
本発明に係る第２の態様は、第１の態様において、前記制御手段は、ロックが解除された収納庫の表示ランプを点灯させることを特徴とする。
本発明に係る第３の態様は、第１または第２の態様において、前記貨幣入出庫装置により入出庫を行う貨幣に関する貨幣情報を記憶する記憶手段を有し、前記貨幣入出庫装置により入出庫された貨幣の増減分と前記記憶手段から読み出された貨幣情報とに差異がある場合にその旨を報知する報知手段を有することを特徴とする。
本発明に係る第４の態様は、第３の態様において、前記記憶手段は、前記貨幣情報と、前記受け渡し対象の貨幣処理機器の識別情報と、予め設定された操作者の識別情報とを記憶することを特徴とする。
本発明に係る第５の態様は、第４の態様において、前記貨幣入出庫装置の操作者の識別情報を読み取る読取手段を有し、前記制御手段は、前記読取手段により読み取られた操作者の識別情報と、前記記憶手段に記憶された操作者の識別情報とが一致する場合に前記記憶手段に記憶された貨幣に関する貨幣情報を読み出すことを特徴とする。
【００１０】
本発明に係る第６の態様は、移動可能であって個別にロック可能な複数の収納庫に対して貨幣の入出庫が行われ、近接する貨幣処理機器の識別情報を取得し、当該識別情報が、予め設定された受け渡し対象の貨幣処理機器の識別情報と一致する場合に複数の収納庫の中から入出庫の対象となる貨幣が収納される収納庫のロックを解除し、貨幣の入庫および出庫の少なくともいずれか一方が可能となる一方、前記受け渡し対象の貨幣処理機器の識別情報と一致しない場合に貨幣の入庫および出庫が不可となる貨幣入出庫装置に対し通信可能に設けられて、前記受け渡し対象の貨幣処理機器の識別情報を前記貨幣入出庫装置に記憶させることを特徴とする。
【００１１】
上記第６の態様によれば、近接する貨幣処理機器の識別情報を取得し、当該識別情報が、予め設定された受け渡し対象の貨幣処理機器の識別情報と一致する場合に貨幣の出庫が可能となる一方、この受け渡し対象の貨幣処理機器の識別情報と一致しない場合に貨幣の出庫が不可となる貨幣入出庫装置に対して、受け渡し対象の貨幣処理機器の識別情報を記憶させる。これにより、貨幣入出庫装置が、受け渡し対象の貨幣処理機器に近接する位置にある場合に貨幣の出庫を可能とし、受け渡し対象の貨幣処理機器に近接する位置にない場合に貨幣の出庫を不可とすることができ、受け渡し対象の貨幣処理機器を取り違えてしまう可能性を低減可能となる。
【００１２】
本発明に係る第７の態様は、移動可能であって個別にロック可能な複数の収納庫に対して貨幣の入出庫が行われ、近接する貨幣処理機器の識別情報を取得し、当該識別情報が、予め設定された受け渡し対象の貨幣処理機器の識別情報と一致する場合に複数の収納庫の中から入出庫の対象となる貨幣が収納される収納庫のロックを解除し、貨幣の入庫および出庫の少なくともいずれか一方が可能となる一方、前記受け渡し対象の貨幣処理機器の識別情報と一致しない場合に貨幣の入庫および出庫が不可となることを特徴とする。
【００１３】
上記第７の態様によれば、近接する貨幣処理機器の識別情報を取得し、当該識別情報が、予め設定された受け渡し対象の貨幣処理機器の識別情報と一致する場合に貨幣の出庫が可能となる一方、この受け渡し対象の貨幣処理機器の識別情報と一致しない場合に貨幣の出庫が不可となる。これにより、受け渡し対象の貨幣処理機器に近接する位置にある場合に貨幣の出庫が可能となり、受け渡し対象の貨幣処理機器に近接する位置にない場合に貨幣の出庫が不可となって、受け渡し対象の貨幣処理機器を取り違えてしまう可能性を低減可能となる。
【００１４】
本発明に係る第８の態様は、移動可能であって個別にロック可能な複数の収納庫に対して貨幣の入出庫が行われる貨幣入出庫装置を用いた貨幣処理方法であって、位置情報検出手段が、前記貨幣入出庫装置の位置によって変化する位置情報を検出し、制御手段が、当該位置情報に基づいて前記貨幣入出庫装置の貨幣の入庫および出庫の少なくともいずれか一方の可および不可を制御することを特徴とする。
【００１５】
上記第８の態様によれば、貨幣入出庫装置の位置によって変化する位置情報を検出し、この貨幣入出庫装置の位置情報に基づいて、貨幣入出庫装置における貨幣の入庫および出庫の少なくともいずれか一方の可および不可を制御することになる。これにより、貨幣の入庫および出庫の少なくともいずれか一方が行われるのに相応しい位置に貨幣入出庫装置があるときに貨幣の入庫および出庫の少なくともいずれか一方を可能とし、貨幣の入庫および出庫の少なくともいずれか一方が行われるのに相応しくない位置に貨幣入出庫装置があるときに貨幣の入庫および出庫の少なくともいずれか一方を不可とすることができ、受け渡し対象物を取り違えてしまう可能性を低減可能となる。
【００１６】
本発明に係る第８の態様は、上記において、前記位置情報検出手段が、前記位置情報として前記貨幣入出庫装置がいずれの貨幣処理機器に近接する位置にあるかを検出し、前記制御手段が、前記貨幣入出庫装置が近接する位置にあることが検出された貨幣処理機器の識別情報が、予め設定された受け渡し対象の貨幣処理機器の識別情報と一致する場合に複数の収納庫の中から入出庫の対象となる貨幣が収納される収納庫のロックを解除し、貨幣の入庫および出庫の少なくともいずれか一方を可能とする一方、前記受け渡し対象の貨幣処理機器の識別情報と一致しない場合に貨幣の入庫および出庫を不可とすることを特徴とする。
【００１７】
上記第８の態様によれば、位置情報として貨幣入出庫装置がいずれの貨幣処理機器に近接する位置にあるかを検出し、貨幣入出庫装置が近接する位置にあることが検出された貨幣処理機器の識別情報が、予め設定された受け渡し対象の貨幣処理機器の識別情報と一致する場合に貨幣の出庫を可能とする一方、この受け渡し対象の貨幣処理機器の識別情報と一致しない場合に貨幣の出庫を不可とする。これにより、貨幣入出庫装置が、受け渡し対象の貨幣処理機器に近接する位置にある場合に貨幣の出庫を可能とし、受け渡し対象の貨幣処理機器に近接する位置にない場合に貨幣の出庫を不可とすることができ、受け渡し対象の貨幣処理機器を取り違えてしまう可能性を低減可能となる。
【発明の効果】
【００１８】
本発明によれば、貨幣類を安全に取扱うことができる貨幣処理システム、制御装置、貨幣入出庫装置および貨幣処理方法を提供することができる。
【図面の簡単な説明】
【００１９】
【図１】本発明の一実施形態に係る貨幣処理システムを示す構成図である。
【図２】本発明の一実施形態に係る貨幣処理システムを示すブロック図である。
【図３】本発明の一実施形態に係る貨幣処理システムの現金管理装置を示す斜視図である。
【図４】本発明の一実施形態に係る貨幣処理システムの現金管理装置を構成する束紙幣収納庫を示す斜視図である。
【図５】本発明の一実施形態に係る貨幣処理システムの現金管理装置を構成する棒金収納庫を示す斜視図である。
【発明を実施するための形態】
【００２０】
本発明の一実施形態を図面を参照して以下に説明する。
【００２１】
本実施形態に係る貨幣処理システム１は、銀行等の金融機関の店舗に設置されるものであり、図１に示すように、出納機２（制御装置）と、現金管理装置４（貨幣入出庫装置）と、貨幣処理機器５と、を有している。現金管理装置４は、移動可能であって貨幣の入庫および出庫が可能な貨幣入出庫装置として使用される。貨幣処理機器５は、現金管理装置４から出庫された貨幣の受け渡し先および現金管理装置４に入庫される貨幣の受け渡し元となる。ここで、現金管理装置４で入庫および出庫される貨幣の受け渡しの対象となる貨幣処理機器５としては、顧客用の両替機や、テラー用の窓口機、顧客用の現金自動預払機等がある。
【００２２】
出納機２は、金融機関等の店舗の建屋の例えば執務室のフロア上に設置されるものであり、店舗全体の貨幣の全体在高データを管理する貨幣管理親機となっている。出納機２は、貨幣の入出金が可能であり、自身に収納している貨幣および小切手等の在高である出納機在高データを記憶している。この出納機在高データは、出納機２で行われる貨幣の入出金処理によって増減する。出納機２には、ＲＦＩＤ等の非接触ＩＣチップを搭載した図２に示すＩＣタグ２ａが設けられており、ＩＣタグ２ａには、他との識別のために出納機２に個別に設定された出納機識別情報データが記憶されている。
【００２３】
現金管理装置４は、フロアを走行移動可能であり、貨幣処理機器５と共に出納機２によって在高が管理される下位機としての貨幣管理子機となっている。現金管理装置４は、貨幣および小切手等を取り出し可能に収納し自身に収納している貨幣および小切手等の在高である管理装置在高データを記憶している。この管理装置在高データは、現金管理装置４における貨幣の入出庫処理によって増減する。現金管理装置４は、無線等で出納機２と通信可能であり、管理装置在高データを出納機２に送信可能となっている。現金管理装置４には、他との識別のための管理装置識別情報データが個別に設定されている。
【００２４】
貨幣処理機器５は、フロア上に設置されるものであり、貨幣の入出金の計数値から自身に収納している貨幣の在高である貨幣処理機器在高データを記憶している。この貨幣処理機器在高データは、貨幣処理機器５における貨幣の装填処理、補充処理、出金処理および回収処理等によって増減し、両替処理によって金種変更する。貨幣処理機器５は、無線あるいは有線で出納機２と通信可能であり、貨幣処理機器在高データを出納機２に送信可能となっている。貨幣処理機器５には、ＲＦＩＤ等の非接触ＩＣチップを搭載したＩＣタグ５ａ（位置情報検出手段）が設けられており、ＩＣタグ５ａには、他との識別のために貨幣処理機器５のそれぞれに個別に設定された受渡対象識別情報データが記憶されている。
【００２５】
現金管理装置４は、図３に示すように、箱型の現金管理装置本体１１とこの現金管理装置本体１１に上下方向に複数段具体的には５段設けられた収納庫１２とを有している。これら収納庫１２は、その左右側壁に設けられた図示略のスライドレールを介して現金管理装置本体１１に対して水平前後方向にスライド開閉可能となっている。これら収納庫１２は、現金管理装置本体１１から引き出されて開状態となり、現金管理装置本体１１に押し込まれて閉状態となる。すべての収納庫１２が、このように前後方向にのみ所定範囲で移動可能となるように現金管理装置本体１１に連結されている。これら収納庫１２は、開状態で現金が出し入れ可能となる一方、閉状態では現金の出し入れが不可となる。現金管理装置４において収納庫１２の引き出し方向の手前側の面が操作者側の装置前面となっている。
【００２６】
複数段の収納庫１２のうち、最も上側のものは、予備収納庫１２（ａ）となっており、結束されていないバラ紙幣、包装されていないバラ硬貨、汚損紙幣や汚損硬貨、新券、小切手等を収納する。また、残りの収納庫１２は、上側２段が小束紙幣や大束紙幣を収納する束紙幣収納庫１２（ｂ）となっており、下側２段が棒金を収納する棒金収納庫１２（ｃ）となっている。勿論、収納庫１２の全体の数、レイアウトや、そのうちの束紙幣収納庫１２（ｂ）および棒金収納庫１２（ｃ）の個々の数等は任意に設定可能であり、例えば、予備収納庫１２（ａ）以外の全てを、束紙幣収納庫１２（ｂ）としたり、棒金収納庫１２（ｃ）としたり、上側２段を棒金収納庫１２（ｃ）とし下側２段を束紙幣収納庫１２（ｂ）とすることも勿論可能である。ただし、現金管理装置４は、人力によりフロア上を走行移動させられることから、予備収納庫１２（ａ）を１段、束紙幣収納庫１２（ｂ）を２段、棒金収納庫１２（ｃ）を２段程度とするのが重量的に好ましい。
【００２７】
現金管理装置本体１１の上部の装置後面側には、現金管理装置４を移動させる際に操作者により把持されるハンドルバー１５が左右方向に延在して取り付けられている。現金管理装置本体１１の上部には、ハンドルバー１５よりも装置前面側に、揺動可能なタッチパネル式の管理装置操作表示部１６が設けられており、管理装置操作表示部１６よりも装置前面側に、管理装置カードリーダ１７と、テンキーを含む着脱式の管理装置キー操作部１８とが設けられている。管理装置操作表示部１６は、操作者により操作入力が行われると共に操作者に表示を行うものであり、管理装置カードリーダ１７は操作者により通されたＩＤカードから記憶データを読み取るものである。
【００２８】
現金管理装置本体１１の下部には、フロア上で転動するローラ３７を有するキャスタ３８が四隅位置に設けられている。すべてのキャスタ３８は、ローラ３７が鉛直軸を中心に水平旋回自在となっており、ローラ３７が水平軸を中心に回転可能となっている。
【００２９】
現金管理装置本体１１には、全ての収納庫１２のそれぞれに対して、収納庫１２を閉状態で個別にロックする図２に示す収納庫ロック機構２２が設けられている。例えば、収納庫ロック機構２２は、複数の収納庫１２のそれぞれに設けられて収納庫１２を現金管理装置本体１１に閉状態で電磁的にロックする。図３に示すように、現金管理装置本体１１には、複数の収納庫１２のそれぞれの側方に、収納庫ロック機構２２のロック解除時のみ点灯する表示灯２３が設けられている。
【００３０】
現金管理装置本体１１には、図２に示すように、管理装置操作表示部１６、管理装置カードリーダ１７、管理装置キー操作部１８、収納庫ロック機構２２および表示灯２３に接続されてこれらを制御する管理装置制御部２５（制御手段）と、収納しているバラ紙幣、バラ硬貨、棒金、小束紙幣および小切手等のそれぞれの数量情報および種類情報や処理関連のデータ等を記憶する管理装置記憶部２６と、が設けられている。管理装置制御部２５は、複数の収納庫ロック機構２２のロックを個別に解除可能となっており、管理装置記憶部２６を用いて複数の収納庫１２の現金の収納量つまり在高を個別に管理する。
【００３１】
各収納庫１２と現金管理装置本体１１との間には、現金管理装置本体１１に対する各収納庫１２の引き出し位置を検出する引出位置検出機構３５が設けられている。引出位置検出機構３５は、各収納庫１２が現金管理装置本体１１に最も押し込まれた全閉位置にあること、および、収納庫１２が現金管理装置本体１１から最も引き出された全開位置にあることを含んで各収納庫１２の引き出し位置を検出する。
【００３２】
図４に示すように、束紙幣収納庫１２（ｂ）は、結束された小束紙幣Ｔを出入庫可能に収納するもので、複数、具体的には前後に３つ配列された合成樹脂製の小束トレイ４０を有している。小束紙幣Ｔは、単一金種の紙幣（貨幣）を所定枚数（１００枚）集積し、規定位置に結束テープｔを巻回して、この結束テープｔを接着することで形成されるものである。各小束トレイ４０には１０束の小束紙幣Ｔが収納可能であり、１０束の小束紙幣Ｔを結束した大束紙幣を収納することもできる。また、小束トレイ４０の左スペースに後述する棒金トレイを前後に金種径に応じて４つまたは３つ備えるようにしてもよい。
【００３３】
各小束トレイ４０は、上方に開口し下方に凹む形状をなすトレイ本体４１と、トレイ本体４１に、その後壁部４２と平行を維持しつつ前後移動可能に設けられた札押さえ板４３と、札押さえ板４３を後壁部４２に向けて付勢する図示略の付勢部材とを有している。各小束トレイ４０には、小束紙幣Ｔが、その長辺方向を左右にし短辺方向を上下にし厚さ方向を前後にした立位状態で、上方から挿入されることになり、小束紙幣Ｔは、この立位状態のまま、底部に載置され、後壁部４２と札押さえ板４３とに挟持されて収納されることになる。各小束トレイ４０に収納すべき設定金種を示す収納金種データは、予め設定されて管理装置記憶部２６に記憶されることになる。
【００３４】
図５に示すように、棒金収納庫１２（ｃ）は、単一金種の硬貨（貨幣）が所定枚数（５０枚）集積されて包装紙で包装されてなる棒金Ｂを出入庫可能に収納するもので、複数、具体的には、前後に金種径に応じて４つまたは３つ、左右に３列の合成樹脂製の棒金トレイ５０を有している。
【００３５】
棒金トレイ５０は、棒金Ｂが中心軸線を上下にした立位状態で収納されるものである。棒金トレイ５０は、下方に凹む上方開口形状の棒金収納凹部５１を構成している。棒金トレイ５０の棒金収納凹部５１には、例えば、合計１０本の棒金Ｂが５本ずつセパレートで収納されるようになっている。棒金Ｂは、棒金収納凹部５１に、その上部開口を介して上方から挿入されることになる。棒金収納凹部５１に１０本の棒金Ｂが収納されると、１０本の棒金Ｂは棒金収納凹部５１および他の棒金Ｂで支持されて中心軸線を鉛直配置した立位状態に維持される。ここで、最前列の棒金トレイ５０は、端数用となっており、棒金Ｂの転倒防止用の複数の補助棒５２が立設されていて、収納本数が不足した状態でも棒金Ｂを倒さずに収納可能となっている。各棒金トレイ５０に収納すべき設定金種を示す収納金種データは、予め設定されて管理装置記憶部２６に記憶されることになる。
【００３６】
現金管理装置本体１１の各束紙幣収納庫１２（ｂ）が挿入される部分の上部の前端部には、束紙幣収納庫１２（ｂ）の左右２列の小束トレイ４０のそれぞれの上方近接位置に、束紙幣収納庫１２（ｂ）に収納された小束紙幣Ｔの左端位置を検出する図２に示す左端検出ラインセンサ６１、小束紙幣Ｔの左側に結束テープｔつまり帯がある場合にこれを検出する左側帯検出ラインセンサ６２、小束紙幣Ｔの右側に結束テープｔがある場合にこれを検出する右側帯検出ラインセンサ６３および小束紙幣Ｔの右端位置を検出する右端検出ラインセンサ６４が、それぞれ検出素子を左右方向に並べた状態で固定されている。
【００３７】
束紙幣収納庫１２（ｂ）が最も現金管理装置本体１１から引き出されて図示略の前端位置ストッパに当接し停止する前端位置から最も現金管理装置本体１１に押し込まれて図示略の後端位置ストッパに当接し停止する後端位置まで移動すると、各列用の左端検出ラインセンサ６１、左側帯検出ラインセンサ６２、右側帯検出ラインセンサ６３および右端検出ラインセンサ６４が、この束紙幣収納庫１２（ｂ）に収納された小束紙幣Ｔの上端部の反射光データを取得することになる。
【００３８】
管理装置制御部２５は、引出位置検出機構３５の検出結果と、各列用の左端検出ラインセンサ６１、左側帯検出ラインセンサ６２、右側帯検出ラインセンサ６３および右端検出ラインセンサ６４の検出結果とに基づいて束紙幣収納庫１２（ｂ）内の小束紙幣Ｔの数量および金種を取得する。すなわち、管理装置制御部２５は、右側帯検出ラインセンサ６３および右端検出ラインセンサ６４の検出結果から帯の数つまり束数を取得し、左端検出ラインセンサ６１および左側帯検出ラインセンサ６２の検出結果から長さつまり金種を取得する。このようにして、管理装置制御部２５は、各束紙幣収納庫１２（ｂ）内の小束紙幣Ｔの各金種別の束数、合計金額等の在高を管理する。
【００３９】
棒金トレイ５０の各棒金収納位置の底部には、棒金Ｂの有無および材質を検出する磁気センサからなる棒金検出センサ６８がそれぞれ設けられている。管理装置制御部２５は、各棒金検出センサ６８の検出結果から、棒金収納庫１２（ｃ）内の棒金Ｂの数量および金種を取得する。このようにして、管理装置制御部２５は、各棒金収納庫１２（ｃ）内の棒金Ｂの各金種別の本数、合計金額等の在高を管理する。
【００４０】
管理装置制御部２５は、予備収納庫１２（ａ）の在高については、予備収納庫１２（ａ）へのバラ紙幣、バラ硬貨、小切手等の入出庫を含む入出取引の際に、管理装置操作表示部１６を介して入力される、バラ紙幣の入庫数、バラ紙幣の出庫数、バラ硬貨の入庫数およびバラ硬貨の出庫数等に基づいて在高を管理する。
【００４１】
また、現金管理装置本体１１には、全ての収納庫１２のそれぞれに対して、収納庫１２を閉状態で個別にロックする上記した収納庫ロック機構２２が設けられている。各収納庫ロック機構２２は、それぞれ、給電されるとロックを解除して対応する収納庫１２を引き出し可能とし開作動を許容する状態となる。また、各収納庫ロック機構２２は、それぞれ、対応する収納庫１２の引き出し後に給電が停止されることになり、その後は、対応する収納庫１２が全閉位置に戻されると収納庫１２を引き出し不可に自動的かつ機械的にロックする。
【００４２】
現金管理装置４には、ＩＣタグ２ａ，５ａに対して、所定距離を越えて離れると通信不可であり、所定距離内に近接すると通信可能となって、通信可能なＩＣタグ２ａ，５ａから記憶情報を読み出すタグリーダ４ａ（位置情報検出手段）が設けられている。つまり、タグリーダ４ａは近距離無線通信でＩＣタグ２ａ，５ａから記憶情報を読み出す。なお、ＩＣタグ２ａ，５ａは、必ずしも出納機２や貨幣処理機器５の装置自体に付着しなくてもよく、出納機２や貨幣処理機器５の設置位置付近の床面等に配置するようにしてもよい。また、ＩＣタグ２ａ，５ａとタグリーダ４ａとの代わりに、出納機識別情報データや受渡対象識別情報データを含むバーコードと当該バーコードを読み取り可能なバーコードリーダとを用いることもできる。
【００４３】
現金管理装置４は、操作者が、例えば、貨幣処理機器５に現金を装填したり補充したり、貨幣処理機器５から現金を回収したり、顧客に現金を出金したり、顧客から預かった現金を収納したり、顧客から受け取った現金貨幣を同額の異金種の貨幣へ両替する際等に使用される。つまり、現金管理装置４は、操作者が、バラ硬貨、バラ紙幣、棒金Ｂおよび小束紙幣Ｔのうちの少なくともいずれか一つを現金管理装置４から取り出す出庫時、現金管理装置４にバラ硬貨、バラ紙幣、棒金Ｂおよび小束紙幣Ｔのうちの少なくともいずれか一つを収納する入庫時、および入庫と出庫とを同時並行で行う入庫・出庫時のいずれかからなる入出取引時に使用される。
【００４４】
図１に示す出納機２は、被管理物のうちの紙幣、硬貨および金券等の貨幣類を取り扱うもので、金融機関等の店舗に設置されて店舗全体の貨幣処理を管理するものである。出納機２は、例えば、大口顧客に対する係員による入金、出金等の取引処理、係員による渉外先への持ち出し金の出金処理や、渉外先からの持ち帰り金の入金処理、さらには、営業終了後の金融機関店舗全体での入出金状況の締め上げ管理等を行うものである。
【００４５】
出納機２は、紙幣についての入出金処理等を行う紙幣処理装置１５５と、紙幣の特に新券についての出金処理等を行う新券処理装置１５６と、硬貨についての入出金処理等を行う硬貨処理装置１５７とが左右に並設されて構成されている。
【００４６】
紙幣処理装置１５５は、その前面側の上部に、機外からバラ紙幣が投入されると共に機内から出金用のバラ紙幣が繰り出されるバラ紙幣入出金口１６０が設けられている。バラ紙幣入出金口１６０の下側には、入金処理で受け付け不可と判定された入金リジェクト紙幣が機内から繰り出される入金リジェクト口１６１が設けられている。バラ紙幣入出金口１６０よりも上側には、機内でバラ紙幣を所定枚数集積して結束してなる小束紙幣を機外に取り出し可能とする束出金口１６２が設けられている。
【００４７】
新券処理装置１５６には、その前面側の上部に、機内から出金用の新券のバラ紙幣が繰り出される新券出金口１６５が設けられている。
【００４８】
硬貨処理装置１５７は、その前面側の上部に、機外からバラ硬貨が投入されるバラ硬貨入金口１６８が設けられている。バラ硬貨入金口１６８の下側には、入金処理で受け付け不可と判定された入金リジェクト硬貨が機内から繰り出される入金リジェクト口１６９が設けられている。入金リジェクト口１６９の下側には、機内から出金用のバラ硬貨が繰り出されるバラ硬貨出金口１７０が設けられている。前面側の上部には、機内でバラ硬貨を所定枚数集積して包装してなる棒金硬貨を機外に取り出し可能とする棒金出金口１７１が設けられている。
【００４９】
出納機２は、硬貨処理装置１５７の上部に、タッチパネル式の出納機操作表示部１７５と、出納機キー操作部１８１と、出納機カードリーダ１８２とを有している。出納機操作表示部１７５は、操作者により操作入力が行われると共に操作者に表示を行うものであり、出納機キー操作部１８１は、操作者により操作入力が行われるものであり、出納機カードリーダ１８２は操作者により通されたＩＤカードの記憶データを読み取るものである。出納機２は、図２に示すように、出納機２を制御する出納機制御部１７７と、出納機２内の在高データおよび店舗内の在高データ等を記憶する出納機記憶部１７９とを有している。
【００５０】
出納機２は、その出納機制御部１７７が、この出納機２が管理対象とする現金管理装置４の管理装置制御部２５と通信可能であり、この出納機２が管理対象とする貨幣処理機器５と通信可能である。
【００５１】
出納機２は、その出納機制御部１７７が、管理在高データとして、これが設けられた出納機２の出納機在高データを出納機記憶部１７９に記憶させており、この出納機在高データを管理する。また、出納機２は、その出納機制御部１７７が、管理在高データとして、この出納機２が管理対象とする現金管理装置４の各別の管理装置在高データと、この出納機２が管理対象とする貨幣処理機器５の各別の貨幣処理機器在高データと、を出納機記憶部１７９に記憶させており、これらの管理装置在高データと貨幣処理機器在高データとを管理する。出納機制御部１７７は、出納機在高データと管理装置在高データと貨幣処理機器在高データとを区別しつつ関連データとして管理する。これにより、出納機２は、店舗内のすべての管理対象機器の貨幣類の在高データを一元管理するようになっている。
【００５２】
「貨幣装填処理」
現金管理装置４から出庫させた貨幣を、予め設定された受け渡し対象の貨幣処理機器５に装填する場合について説明する。ここで、貨幣処理システム１は、最小構成として、一台の出納機２と、一台の現金管理装置４と、一台の貨幣処理機器５とを有していれば良い。ここでは、図２に示すように、貨幣処理システム１が、一台の出納機２と、複数台の現金管理装置４と、複数台の貨幣処理機器５とを有する場合について説明する。以下の説明では、複数の現金管理装置４のうちの同じ一台の現金管理装置４であることを表すため、これを第１の現金管理装置４とし、複数の貨幣処理機器５のうちの同じ一台の貨幣処理機器５であることを表すため、これを第１の貨幣処理機器５とする。後述する第１の管理装置識別情報データ、第１の受渡対象識別情報データ、第１の貨幣情報データ、第１の操作者識別情報データも、それぞれが同じ一つのデータであることを表している。
【００５３】
まず、出納機２において、貨幣の出庫を行う第１の現金管理装置４に個別に設定された第１の管理装置識別情報データと、第１の現金管理装置４の貨幣の受け渡し先である受け渡し対象の第１の貨幣処理機器５に個別に設定された第１の受渡対象識別情報データと、受け渡し対象の第１の貨幣処理機器５に装填する貨幣の金種および数量を含む第１の貨幣情報データとが入力される。すると、出納機制御部１７７は、これらのデータを出納機記憶部１７９に記憶させると共に、第１の管理装置識別情報データを有する第１の現金管理装置４の管理装置制御部２５に、第１の受渡対象識別情報データと第１の貨幣情報データとを送信する。すると、第１の現金管理装置４の管理装置制御部２５は、第１の現金管理装置４に設けられた管理装置記憶部２６に第１の受渡対象識別情報データと第１の貨幣情報データとを記憶させる。なお、出納機制御部１７７が、出納機２に近接して出納機２のＩＣタグ２ａの出納機識別情報データを読み出しているタグリーダ４ａを有する現金管理装置４を第１の現金管理装置４に自動設定するようにしても良いし、各現金管理装置４の管理装置在高データに基づいて第１の現金管理装置４を自動設定するようにしても良い。
【００５４】
操作者が、貨幣を装填するために、第１の現金管理装置４を、上記のように予め設定された受け渡し対象である第１の貨幣処理機器５の近くに移動させる。すると、第１の現金管理装置４のタグリーダ４ａが、受け渡し対象である第１の貨幣処理機器５のＩＣタグ５ａと通信可能になり、このＩＣタグ５ａから第１の貨幣処理機器５の第１の受渡対象識別情報データを読み出す。第１の現金管理装置４の管理装置制御部２５は、この読み出した第１の受渡対象識別情報データが、管理装置記憶部２６に予め設定されて記憶された第１の受渡対象識別情報データと一致することから、管理装置記憶部２６から第１の受渡対象識別情報データに関連付けて記憶された第１の貨幣情報データを読み出し、この第１の貨幣情報データに基づく第１の現金管理装置４からの貨幣の取り出しつまり出庫が可能な状態となる。
【００５５】
他方、第１の現金管理装置４のタグリーダ４ａが、いずれのＩＣタグ５ａとも通信可能にならない場合と、ＩＣタグ５ａと通信可能になっても、このタグリーダ４ａによってＩＣタグ５ａから読み出した受渡対象識別情報データが、管理装置記憶部２６に予め設定されて記憶された第１の受渡対象識別情報データと一致しない場合とについては、第１の現金管理装置４の管理装置制御部２５が、管理装置記憶部２６から第１の受渡対象識別情報データに関連付けて記憶された第１の貨幣情報データを読み出すことはなく、この第１の貨幣情報データに基づく第１の現金管理装置４からの貨幣の出庫が可能にはならない。
【００５６】
つまり、タグリーダ４ａおよびＩＣタグ５ａは、現金管理装置４の位置によって変化する位置情報を検出するものであり、具体的には、この位置情報として現金管理装置４がいずれの貨幣処理機器５に近接する位置にあるかを検出する。また、管理装置制御部２５は、タグリーダ４ａおよびＩＣタグ５ａが検出した現金管理装置４の位置情報に基づいて現金管理装置４の出庫の可および不可を制御するものであり、具体的には、タグリーダ４ａおよびＩＣタグ５ａによって現金管理装置４が近接する位置にあることが検出された貨幣処理機器５の受渡対象識別情報データが、予め設定された受け渡し対象の貨幣処理機器５の受渡対象識別情報データと一致する場合に貨幣の出庫を可能とする一方、予め設定された受け渡し対象の貨幣処理機器５の受渡対象識別情報データと一致しない場合に貨幣の出庫を不可とする。
【００５７】
第１の現金管理装置４の管理装置制御部２５は、第１の貨幣情報データに基づく現金管理装置４からの貨幣の出庫が可能な状態となると、第１の現金管理装置４について以下の制御を行う。
【００５８】
第１の貨幣情報データに基づいて、予備収納庫１２（ａ）、全ての束紙幣収納庫１２（ｂ）および全ての棒金収納庫１２（ｃ）の中から、この第１の貨幣情報データの貨幣が取り出されることになる出庫対象収納庫１２をロックしている収納庫ロック機構２２のロックを解除して、出庫対象収納庫１２を現金管理装置本体１１から引き出し可能とする。
【００５９】
例えば、この第１の貨幣情報データに、小束紙幣Ｔに関するものが含まれる場合、管理装置制御部２５は、含まれる金種の小束紙幣Ｔを収納している束紙幣収納庫１２（ｂ）を出庫対象収納庫とし、この束紙幣収納庫１２（ｂ）をロックしている収納庫ロック機構２２のロックを解除する。これにより、この束紙幣収納庫１２（ｂ）が現金管理装置本体１１から引き出し可能となる。それと共に、管理装置制御部２５は、この束紙幣収納庫１２（ｂ）用のその側方にある表示灯２３を点灯させる。
【００６０】
また、例えば、この第１の貨幣情報データに、棒金Ｂに関するものが含まれる場合、管理装置制御部２５は、含まれる金種の棒金Ｂを収納している棒金収納庫１２（ｃ）を出庫対象収納庫１２とし、この棒金収納庫１２（ｃ）をロックしている収納庫ロック機構２２のロックを解除する。これにより、この棒金収納庫１２（ｃ）が現金管理装置本体１１から引き出し可能となる。それと共に、管理装置制御部２５は、この棒金収納庫１２（ｃ）用のその側方にある表示灯２３を点灯させる。
【００６１】
操作者は、出庫対象収納庫１２を引き出し開状態として、現金を取り出す出庫作業を行い、取り出した貨幣を貨幣処理機器５に装填する。
【００６２】
例えば、出庫対象収納庫１２が一の束紙幣収納庫１２（ｂ）である場合、管理装置制御部２５は、この一の束紙幣収納庫１２（ｂ）をロックしている収納庫ロック機構２２を駆動してロックを解除すると共に、この一の束紙幣収納庫１２（ｂ）用の表示灯２３を点灯させることになる。そして、この一の束紙幣収納庫１２（ｂ）の現金管理装置本体１１からの引き出しが開始されたことを引出位置検出機構３５の検出結果から検出すると、この一の束紙幣収納庫１２（ｂ）用の収納庫ロック機構２２の駆動を終了する。
【００６３】
その後、引出位置検出機構３５が、この一の束紙幣収納庫１２（ｂ）について、全開状態になったことを検出した後、閉方向の移動開始を検出すると、管理装置制御部２５は、この一の束紙幣収納庫１２（ｂ）に対して設けられた左端検出ラインセンサ６１、左側帯検出ラインセンサ６２、右側帯検出ラインセンサ６３および右端検出ラインセンサ６４の組の左右二組について、これらに給電してこれらによる反射光データの取り込みを開始させる。そして、引出位置検出機構３５がこの一の束紙幣収納庫１２（ｂ）が全閉状態になったことを検出すると、管理装置制御部２５は、反射光データの取り込みを終了させると共に、この一の束紙幣収納庫１２（ｂ）用の表示灯２３を消灯させる。この一の束紙幣収納庫１２（ｂ）が全閉状態になると、この一の束紙幣収納庫１２（ｂ）用の収納庫ロック機構２２がこれを自動的にロック状態になる。
【００６４】
そして、管理装置制御部２５は、上記した反射光データから、この一の束紙幣収納庫１２（ｂ）に収納された小束紙幣Ｔの金種別の数量データを取得して管理装置記憶部２６に記憶させると共に、この金種別の数量データと、管理装置記憶部２６に記憶されている前回のこの一の束紙幣収納庫１２（ｂ）の金種別の数量データとから、小束紙幣Ｔの増減分を割り出す。
【００６５】
また、対象収納庫１２が一の棒金収納庫１２（ｃ）である場合、管理装置制御部２５は、この一の棒金収納庫１２（ｃ）について、引出位置検出機構３５が、全開状態になったことを検出した後、全閉状態になったことを検出すると、この一の棒金収納庫１２（ｃ）用の表示灯２３を消灯させると共に、この一の棒金収納庫１２（ｃ）に対して設けられた棒金検出センサ６８に磁気データを取得させる。
【００６６】
そして、管理装置制御部２５は、上記した磁気データから、この一の棒金収納庫１２（ｃ）に収納された棒金Ｂの金種別の数量データを取得して管理装置記憶部２６に記憶させると共に、この金種別の数量データと、管理装置記憶部２６に記憶されている前回のこの一の棒金収納庫１２（ｃ）の金種別の数量データとから、棒金Ｂの増減分を割り出す。
【００６７】
管理装置制御部２５は、すべての収納庫１２が閉状態となって管理装置操作表示部１６に貨幣装填処理の終了操作が入力されると、貨幣の増減分を、第１の貨幣情報データと照合して差異があるか否かを判定し、差異がなければ、貨幣装填処理を終了し、差異があれば、管理装置操作表示部１６にその旨の報知を行わせる。
【００６８】
そして、貨幣装填処理を終了すると、管理装置制御部２５は、第１の管理装置識別情報データと第１の貨幣情報データと第１の受渡対象識別情報データとを関連付けて、出納機２の出納機制御部１７７に送信する。すると、出納機２の出納機制御部１７７は、これらのデータを関連付けて出納機記憶部１７９に記憶させる。また、出納機２の出納機制御部１７７は、第１の貨幣情報データを、第１の管理装置識別情報データを有する第１の現金管理装置４に紐付く管理在高および第１の受渡対象識別情報データを有する第１の貨幣処理機器５に紐付く管理在高に反映させる。つまり、第１の貨幣情報データ分の在高データを、第１の管理装置識別情報データを有する第１の現金管理装置４の管理装置在高データから第１の受渡対象識別情報データを有する第１の貨幣処理機器５の貨幣処理機器在高データに移動させる。
【００６９】
ここで、以上の貨幣装填処理を行うにあたって、出納機２において、出納機カードリーダ１８２でのＩＤカードの読み取りを行わせるようにしても良い。そして、出納機カードリーダ１８２でＩＤカードから読み取った第１の操作者識別情報データを、第１の受渡対象識別情報データと第１の貨幣情報データと共に、第１の現金管理装置４に送信し、その管理装置制御部２５によって第１の現金管理装置４の管理装置記憶部２６に記憶させる。
【００７０】
そして、第１の現金管理装置４の管理装置制御部２５は、タグリーダ４ａによってＩＣタグ５ａから貨幣処理機器５の受渡対象識別情報データが読み出されると、この受渡対象識別情報データが、管理装置記憶部２６に予め設定されて記憶された第１の受渡対象識別情報データと一致する場合に、第１の現金管理装置４の管理装置カードリーダ１７でＩＤカードの読み取りを行わせる。この場合、ＩＤカードから読み取った操作者識別情報データが、第１の受渡対象識別情報データに関連して記憶された第１の操作者識別情報データと一致する場合に限り、第１の受渡対象識別情報データに関連付けて記憶された第１の貨幣情報データを読み出し、この第１の貨幣情報データに基づく第１の現金管理装置４からの貨幣の出庫が可能な状態とする。
【００７１】
また、上記の貨幣装填処理を第１の現金管理装置４から、複数台の貨幣処理機器５に対して行うようにしても良い。この場合、出納機２において、複数の受渡対象識別情報データ毎に、受渡対象識別情報データに関連付けて貨幣情報データを設定することになり、これらのデータを第１の現金管理装置４の管理装置記憶部２６に記憶させる。そして、操作者が第１の現金管理装置４を各貨幣処理機器５の近くに順次移動させ、第１の現金管理装置４のタグリーダ４ａがＩＣタグ５ａから受渡対象識別情報データを読み取ると、この受渡対象識別情報データに関連する貨幣情報データに基づいて第１の現金管理装置４から貨幣を出庫させる処理を、各受渡対象識別情報データ毎に行う。なお、受渡対象識別情報データ毎にそれぞれに関連付けて設定される貨幣情報データを、出納機２の出納機記憶部１７９や通信可能なネットワーク上のサーバに記憶させておき、第１の現金管理装置４の管理装置制御部２５が通信で読み出すようにしても良い。
【００７２】
「貨幣補充処理」
次に、現金管理装置４を用いて貨幣処理機器５に貨幣を補充する場合について説明する。以下の説明では、複数の現金管理装置４のうちの同じ一台の現金管理装置４であることを表すため、これを第２の現金管理装置４とし、複数の貨幣処理機器５のうちの同じ一台の貨幣処理機器５であることを表すため、これを第２の貨幣処理機器５とする。これらは説明の便宜上のためであり、第１の現金管理装置４や第１の貨幣処理機器５と異なることを表すものではない。つまり、第２の現金管理装置４として上記した第１の現金管理装置４と同じ現金管理装置４が用いられる場合もあり、第２の貨幣処理機器５として上記した第１の貨幣処理機器５と同じ貨幣処理機器５が受け渡し対象となる場合もある。後述する第２の管理装置識別情報データ、第２の受渡対象識別情報データ、第２の貨幣情報データ、第２の操作者識別情報データも、それぞれが同じ一つのデータであることを表している。
【００７３】
操作者が、第２の管理装置識別情報データを有する第２の現金管理装置４を第２の貨幣処理機器５の近くに移動させることによって、第２の現金管理装置４のタグリーダ４ａが、第２の貨幣処理機器５のＩＣタグ５ａと通信可能になると、このＩＣタグ５ａから第２の貨幣処理機器５の第２の受渡対象識別情報データを読み出す。第２の現金管理装置４の管理装置制御部２５は、タグリーダ４ａで第２の受渡対象識別情報データが読み出されると、第２の現金管理装置４について以下の制御を行う。
【００７４】
管理装置操作表示部１６に、管理装置カードリーダ１７へのＩＤカードの読み取りを促す表示を表示させる。管理装置カードリーダ１７がＩＤカードから第２の操作者識別情報データを読み取ると、管理装置操作表示部１６に、取り出しつまり出庫を行う貨幣の金種および数量を含む第２の貨幣情報データの入力を促す表示を表示させる。出庫を行う貨幣の金種および数量を含む第２の貨幣情報データが入力されると、第２の貨幣情報データと、第２の操作者識別情報データと、第２の受渡対象識別情報データとを関連付けて管理装置記憶部２６に記憶させると共に、第２の貨幣情報データに基づく第２の現金管理装置４からの貨幣の出庫を可能とする。
【００７５】
管理装置制御部２５は、第２の貨幣情報データに基づいて、予備収納庫１２（ａ）、全ての束紙幣収納庫１２（ｂ）および全ての棒金収納庫１２（ｃ）の中から、この第２の貨幣情報データの貨幣が取り出されることになる出庫対象収納庫１２をロックしている収納庫ロック機構２２のロックを解除して、出庫対象収納庫１２を現金管理装置本体１１から引き出し可能とする。すると、操作者は、対象収納庫１２を引き出し開状態として、現金を取り出す出庫作業を行い、取り出した貨幣を第２の貨幣処理機器５に補充する。
【００７６】
そして、管理装置制御部２５は、すべての収納庫１２が閉状態となって管理装置操作表示部１６に貨幣補充処理の終了操作が入力されると、貨幣の増減分を、第２の貨幣情報データと照合して差異があるか否かを判定し、差異がなければ、貨幣補充処理を終了し、差異があれば、管理装置操作表示部１６にその旨の報知を行わせる。
【００７７】
そして、貨幣補充処理が終了すると、管理装置制御部２５は、第２の管理装置識別情報データと第２の貨幣情報データと第２の操作者識別情報データと第２受渡対象識別情報データとを関連付けて、出納機２の出納機制御部１７７に送信する。すると、出納機２の出納機制御部１７７は、これらのデータを関連付けて出納機記憶部１７９に記憶させる。出納機２の出納機制御部１７７は、第２の貨幣情報データを、第２の管理装置識別情報データを有する第２の現金管理装置４に紐付く管理在高および第２の受渡対象識別情報データを有する第２の貨幣処理機器５に紐付く管理在高に反映させる。つまり、第２の貨幣情報データ分の在高データを、第２の管理装置識別情報データを有する第２の現金管理装置４の管理装置在高データから、第２の受渡対象識別情報データを有する第２の貨幣処理機器５の貨幣処理機器在高データに移動する。
【００７８】
他方、第２の現金管理装置４のタグリーダ４ａが、いずれのＩＣタグ５ａとも通信可能にならない状態では、第２の現金管理装置４に第２の貨幣情報データを入力させることはなく、この第２の貨幣情報データに基づく第２の現金管理装置４からの貨幣の取り出しつまり出庫が可能にはならない。
【００７９】
以上の貨幣補充処理を第２の現金管理装置４から、複数台の貨幣処理機器５に行うようにしても良い。この場合、操作者が第２の現金管理装置４を各貨幣処理機器５の近くに順次移動させ、第２の現金管理装置４が受渡対象識別情報データを検出する毎に、上記の貨幣補充処理を繰り返し行うことになる。すると、第２の現金管理装置４の管理装置制御部２５は、第２の現金管理装置４が検出する受渡対象識別情報データ毎に、各受渡対象識別情報データに関連付けて、操作者識別情報データおよび貨幣情報データを管理装置記憶部２６に記憶させる。また、出納機２の出納機制御部１７７が、第２の現金管理装置４が検出する受渡対象識別情報データ毎に、各受渡対象識別情報データに関連付けて、管理装置識別情報データ、操作者識別情報データおよび貨幣情報データを出納機記憶部１７９に記憶させる。また、第２の現金管理装置４および第２の貨幣処理機器５が上記した第１の現金管理装置４および第１の貨幣処理機器５と同じ場合は、上記の貨幣装填処理において第１の現金管理装置４を第１の貨幣処理機器５の近くに移動させた状態で引き続きこの貨幣補充処理、いわゆる追加装填を行うことが可能になる。
【００８０】
「貨幣回収処理」
現金管理装置４を用いて貨幣処理機器５から貨幣を回収する場合について説明する。以下の説明では、複数の現金管理装置４のうちの同じ一台の現金管理装置４であることを表すため、これを第３の現金管理装置４とし、複数の貨幣処理機器５のうちの同じ一台の貨幣処理機器５であることを表すため、これを第３の貨幣処理機器５とする。これらは説明の便宜上のためであり、第１の現金管理装置４や第１の貨幣処理機器５と異なることを表すものではない。つまり、第３の現金管理装置４として上記した第１または第２の現金管理装置４と同じ現金管理装置４が用いられる場合もあり、第３の貨幣処理機器５として上記した第１または第２の貨幣処理機器５と同じ貨幣処理機器５が受け渡し対象となる場合もある。後述する第３の管理装置識別情報データ、第３の受渡対象識別情報データ、第３の貨幣情報データ、第３の操作者識別情報データも、それぞれが同じ一つのデータであることを表している。
【００８１】
操作者が、第３の管理装置識別情報データを有する第３の現金管理装置４を第３の貨幣処理機器５の近くに移動させることによって、第３の現金管理装置４のタグリーダ４ａが、第３の貨幣処理機器５のＩＣタグ５ａと通信可能になると、このＩＣタグ５ａから第３の貨幣処理機器５の第３の受渡対象識別情報データを読み出す。第３の現金管理装置４の管理装置制御部２５は、タグリーダ４ａで第３の受渡対象識別情報データが読み出されると、第３の現金管理装置４について以下の制御を行う。
【００８２】
管理装置操作表示部１６に、管理装置カードリーダ１７へのＩＤカードの読み取りを促す表示を表示させる。管理装置カードリーダ１７がＩＤカードから第３の操作者識別情報データを読み取ると、管理装置操作表示部１６に、収納を行う貨幣の金種および数量を含む第３の貨幣情報データの入力を促す表示を表示させる。収納を行う貨幣の金種および数量を含む第３の貨幣情報データが入力されると、第３の貨幣情報データと、第３の操作者識別情報データと、第３の受渡対象識別情報データとを関連付けて管理装置記憶部２６に記憶させると共に、この第３の貨幣情報データに基づく第３の現金管理装置４への貨幣の収納つまり入庫を可能とする。
【００８３】
管理装置制御部２５は、第３の貨幣情報データに基づいて、予備収納庫１２（ａ）、全ての束紙幣収納庫１２（ｂ）および全ての棒金収納庫１２（ｃ）の中から、この第３の貨幣情報データの貨幣を収納することになる入庫対象収納庫１２をロックしている収納庫ロック機構２２のロックを解除して、入庫対象収納庫１２を現金管理装置本体１１から引き出し可能とする。すると、操作者は、入庫対象収納庫１２を引き出し開状態として、第３の貨幣処理機器５から回収した現金を入庫対象収納庫１２に収納する入庫作業を行う。
【００８４】
そして、管理装置制御部２５は、すべての収納庫１２が閉状態となって管理装置操作表示部１６に貨幣回収処理の終了操作が入力されると、貨幣の増減分を、第３の貨幣情報データと照合して差異があるか否かを判定し、差異がなければ、貨幣回収処理を終了し、差異があれば、管理装置操作表示部１６にその旨の報知を行わせる。
【００８５】
そして、貨幣回収処理が終了すると、管理装置制御部２５は、第３の管理装置識別情報データと、第３の貨幣情報データと、第３の操作者識別情報データと、第３の受渡対象識別情報データとを関連付けて、出納機２の出納機制御部１７７に送信する。すると、出納機２の出納機制御部１７７は、これらのデータを関連付けて出納機記憶部１７９に記憶させる。出納機２の出納機制御部１７７は、第３の貨幣情報データを、第３の管理装置識別情報データを有する第３の現金管理装置４に紐付く管理在高および第３の受渡対象識別情報データを有する第３の貨幣処理機器５に紐付く管理在高に反映させる。つまり、第３の貨幣情報データ分の在高データを、第３の受渡対象識別情報データを有する第３の貨幣処理機器５の貨幣処理機器在高データから、第３の管理装置識別情報データを有する第３の現金管理装置４の管理装置在高データに移動する。
【００８６】
他方、第３の現金管理装置４のタグリーダ４ａが、いずれのＩＣタグ５ａとも通信可能にならない状態では、第３の貨幣情報データを入力させることはなく、この第３の貨幣情報データに基づく現金管理装置４への入庫が可能にはならない。つまり、管理装置制御部２５は、タグリーダ４ａおよびＩＣタグ５ａが検出した現金管理装置４の位置情報に基づいて現金管理装置４の入庫の可および不可を制御する。
【００８７】
ここで、第３の現金管理装置４がバラ貨幣の計数機構を備えていない場合は、以下のように処理を行うことができる。貨幣回収処理において、第３の貨幣情報データにバラ貨幣が含まれる場合、第３の現金管理装置４の予備収納庫１２（ａ）にバラ貨幣が収納されることになる。このとき、束紙幣収納庫１２（ｂ）および棒金収納庫１２（ｃ）内の束紙幣および棒金の在高データについては入庫時に確定するため、バラ貨幣の在高データは、第３の貨幣情報データから確定済みの束紙幣および棒金の在高データを減算することで仮確定とし、貨幣回収処理を仮終了とする。または、バラ貨幣の在高データを例えば操作者が手で計数して第３の現金管理装置４の管理装置操作表示部１６に入力する。そして、この管理装置制御部２５は、第３の現金管理装置４のすべての収納庫１２が閉状態となって第３の現金管理装置４の管理装置操作表示部１６に貨幣回収処理の終了操作が入力されると、手入力されたバラ貨幣の在高データを含む貨幣の増減分を、第３の貨幣情報データと照合して差異があるか否かを判定し、差異がなければ、手入力されたバラ貨幣の在高データを仮確定とし、貨幣回収処理を仮終了し、差異があれば、第３の現金管理装置４の管理装置操作表示部１６にその旨の報知を行わせる。
【００８８】
貨幣回収処理の仮終了後、操作者は、貨幣回収処理の本終了のために、第３の現金管理装置４を出納機２の付近まで移動させる。第３の現金管理装置４は、出納機２に近接して出納機２のＩＣタグ２ａの出納機識別情報データをタグリーダ４ａが読み出すと、その管理装置制御部２５が第３の現金管理装置４について以下の制御を行う。
【００８９】
管理装置制御部２５は、管理装置操作表示部１６に、貨幣回収処理が仮終了状態にあり本終了処理の実行が必要である旨を表示させ、管理装置カードリーダ１７へのＩＤカードの読み取りを促す表示を表示させる。管理装置カードリーダ１７がＩＤカードから第３の操作者識別情報データまたはその上位ランク者の操作者識別情報データを読み取ると、管理装置制御部２５は、予備収納庫１２（ａ）をロックしている収納庫ロック機構２２のロックを解除して、この予備収納庫１２（ａ）を現金管理装置本体１１から引き出し可能とすると共に、管理装置操作表示部１６に予備収納庫１２（ａ）のバラ貨幣の出納機２での入金を促す表示を表示させる。さらに、管理装置制御部２５は、出納機制御部１７７と通信して、出納機２を貨幣の入金が可能な状態とする。
【００９０】
操作者が、予備収納庫１２（ａ）を引き出し開状態として、バラ貨幣を取り出して、出納機２に入金させる。出納機２の出納機制御部１７７は、入金時に計数したバラ貨幣の在高データを、第３の現金管理装置４の管理装置制御部２５に送信することになり、この管理装置制御部２５は、出納機２で計数されたバラ貨幣の在高データと、第３の貨幣情報データにおける手入力されたバラ貨幣の在高データとが一致する場合に、貨幣回収処理を本終了し、差異があれば、第３の現金管理装置４の管理装置操作表示部１６にその旨の報知を行わせる。
【００９１】
そして、貨幣回収処理が本終了すると、管理装置制御部２５は、第３の管理装置識別情報データと、出納機２で計数されたバラ貨幣の在高データ分を除いた第３の貨幣情報データと、管理装置カードリーダ１７が読み取った第３の操作者識別情報データまたはその上位ランク者の操作者識別情報データと、第３の受渡対象識別情報データとを関連付けて、出納機２の出納機制御部１７７に送信する。すると、出納機２の出納機制御部１７７は、これらのデータを関連付けて出納機記憶部１７９に記憶させる。出納機２の出納機制御部１７７は、出納機２で計数されたバラ貨幣の在高を出納機２に紐付く管理在高および第１の受渡対象識別情報データを有する第３の貨幣処理機器５に紐付く管理在高に反映させると共に、出納機２で計数されたバラ貨幣の在高データ分を除いた第３の貨幣情報データを、第１の管理装置識別情報データを有する第３の現金管理装置４に紐付く管理在高および第１の受渡対象識別情報データを有する第３の貨幣処理機器５に紐付く管理在高に反映させる。つまり、出納機２で計数されたバラ貨幣の在高データを、第３の貨幣処理機器５の貨幣処理機器在高データから、出納機在高データに移動すると共に、出納機２で計数されたバラ貨幣の在高データ分を除いた第３の貨幣情報データ分の在高データを、第３の貨幣処理機器５の貨幣処理機器在高データから、第３の現金管理装置４の管理装置在高データに移動する。
【００９２】
なお、出納機２で計数したバラ貨幣を出金させて、予備収納庫１２（ａ）に戻すようにしても良い。この場合、出納機２で計数されたバラ貨幣の在高データは、第３の貨幣処理機器５の貨幣処理機器在高データから出納機在高データに付け替えられることはない。つまり、出納機２で計数されたバラ貨幣の在高データを含めた第３の貨幣情報データ分の在高データが、第３の貨幣処理機器５の貨幣処理機器在高データから、第３の現金管理装置４の管理装置在高データに移動することになる。また、貨幣回収処理で、第３の現金管理装置４の束紙幣収納庫１２（ｂ）に収納された小束紙幣および棒金収納庫１２（ｃ）に収納された棒金を、出納機２に収納しても良く、第３の現金管理装置４に収納したままとしても良い。
【００９３】
以上の貨幣回収処理を複数台の貨幣処理機器５から第３の現金管理装置４に対して行うようにしても良い。この場合、操作者が第３の現金管理装置４を各貨幣処理機器５の近くに順次移動させ、第３の現金管理装置４が受渡対象識別情報データを検出する毎に、上記の貨幣回収処理を繰り返し行うことになる。すると、第３の現金管理装置４が検出する受渡対象識別情報データ毎に、各受渡対象識別情報データに関連付けて、操作者識別情報データおよび貨幣情報データを第３の現金管理装置４の管理装置記憶部２６に記憶させる。また、出納機２の出納機制御部１７７が、第３の現金管理装置４が検出する受渡対象識別情報データ毎に、各受渡対象識別情報データに関連付けて、管理装置識別情報データ、操作者識別情報データおよび貨幣情報データを出納機記憶部１７９に記憶させる。
【００９４】
ここで、束紙幣収納庫１２（ｂ）の小束紙幣および棒金収納庫１２（ｃ）内の棒金は、入出庫の度に第３の現金管理装置４内で計数されるためセキュリティ上の問題はないが、第３の現金管理装置４の予備収納庫１２（ａ）にバラ貨幣を入庫させる際に、複数台の貨幣処理機器５のそれぞれからバラ貨幣を一つの予備収納庫１２（ａ）に収納するのはセキュリティ上好ましくない。このため、第３の現金管理装置４の管理装置カードリーダ１７へのＩＤカードの読み取りで、同じ操作者識別情報データが読み取られた場合に限り、第３の現金管理装置４の予備収納庫１２（ａ）のロックを解除するようにする。つまり、同一人物のみ予備収納庫１２（ａ）にバラ貨幣を複数回入庫可能とする。また、第３の現金管理装置４に予備収納庫１２（ａ）が複数ある場合には、第３の現金管理装置４の管理装置カードリーダ１７へのＩＤカードの読み取りで、同じ操作者識別情報データが読み取られた場合に限り、同じ予備収納庫１２（ａ）のロックを解除し、違う操作者識別情報データが読み取られた場合には、他の空いている予備収納庫１２（ａ）のロックを解除するようにして、一人一個の予備収納庫１２（ａ）を割り当てる。第３の現金管理装置４は、上記した貨幣回収処理が本終了すると、当該予備収納庫１２（ａ）を空き状態として管理する。
【００９５】
以上により、現金管理装置４は、移動可能であって貨幣の入出庫が可能であり、近接する貨幣処理機器５の受渡対象識別情報データを取得し、当該受渡対象識別情報データが、予め設定された受け渡し対象の貨幣処理機器５の受渡対象識別情報データと一致する場合に貨幣の出庫が可能となる一方、この受け渡し対象の貨幣処理機器５の受渡対象識別情報データと一致しない場合に貨幣の出庫が不可となる。また、出納機２の出納機制御部１７７は、現金管理装置４に対して、通信可能に設けられて、受け渡し対象の貨幣処理機器５の受渡対象識別情報データを設定して現金管理装置４に記憶させる。
【００９６】
また、以上の貨幣処理方法は、移動可能であって貨幣の入出庫が可能な現金管理装置４を用いた貨幣処理方法であって、現金管理装置４の位置によって変化する位置情報を検出し、当該位置情報に基づいて現金管理装置４の貨幣の入庫および出庫の可および不可を制御する。具体的に、位置情報として現金管理装置４がいずれの貨幣処理機器５に近接する位置にあるかを検出し、現金管理装置４が近接する位置にあることが検出された貨幣処理機器５の受渡対象識別情報データが、予め設定された受け渡し対象の貨幣処理機器５の受渡対象識別情報データと一致する場合に貨幣の出庫を可能とする一方、この受け渡し対象の貨幣処理機器５の受渡対象識別情報データと一致しない場合に貨幣の出庫を不可とする。
【００９７】
以上に述べた本実施形態の貨幣処理システム１によれば、タグリーダ４ａおよびＩＣタグ５ａが現金管理装置４の位置によって変化する位置情報を検出すると、この現金管理装置４の位置情報に基づいて、管理装置制御部２５が、現金管理装置４における貨幣の入庫および出庫の可および不可を制御することになる。これにより、貨幣の入庫が行われるのに相応しい位置に現金管理装置４があるときに貨幣の入庫を可能とし、貨幣の入庫が行われるのに相応しくない位置に現金管理装置４があるときに貨幣の入庫を不可とし、貨幣の出庫が行われるのに相応しい位置に現金管理装置４があるときに貨幣の出庫を可能とし、貨幣の出庫が行われるのに相応しくない位置に現金管理装置４があるときに貨幣の出庫を不可とすることができ、受け渡し対象物を取り違えてしまう可能性を低減可能となる。その結果、例えば、朝の開店準備時や夕方の閉店後において、受け渡し対象物が多い場合であっても、受け渡し対象物を取り違えてしまう可能性を低減可能となる。
【００９８】
また、タグリーダ４ａおよびＩＣタグ５ａが位置情報として現金管理装置４がいずれの貨幣処理機器５に近接する位置にあるかを検出すると、管理装置制御部２５は、現金管理装置４が近接する位置にあることが検出された貨幣処理機器５の受渡対象識別情報データが、予め設定された受け渡し対象の貨幣処理機器５の受渡対象識別情報データと一致する場合に貨幣の出庫を可能とする一方、この受け渡し対象の貨幣処理機器５の受渡対象識別情報データと一致しない場合に貨幣の出庫を不可とする。これにより、現金管理装置４が、受け渡し対象の貨幣処理機器５に近接する位置にある場合に貨幣の出庫を可能とし、受け渡し対象の貨幣処理機器５に近接する位置にない場合に貨幣の出庫を不可とすることができ、受け渡し対象の貨幣処理機器５を取り違えてしまう可能性を低減可能となる。
【００９９】
本実施形態の出納機２によれば、近接する貨幣処理機器５の識別情報を取得し、当該識別情報が、予め設定された受け渡し対象の貨幣処理機器５の識別情報と一致する場合に貨幣の出庫が可能となる一方、この受け渡し対象の貨幣処理機器５の識別情報と一致しない場合に貨幣の出庫が不可となる現金管理装置４に対して、受け渡し対象の貨幣処理機器５の受渡対象識別情報データを予め設定して記憶させる。これにより、現金管理装置４が、受け渡し対象の貨幣処理機器５に近接する位置にある場合に貨幣の出庫を可能とし、受け渡し対象の貨幣処理機器５に近接する位置にない場合に貨幣の出庫を不可とすることができ、受け渡し対象の貨幣処理機器５を取り違えてしまう可能性を低減可能となる。
【０１００】
本実施形態の現金管理装置４によれば、近接する貨幣処理機器５の受渡対象識別情報データを取得し、当該受渡対象識別情報データが、予め設定された受け渡し対象の貨幣処理機器５の受渡対象識別情報データと一致する場合に貨幣の出庫が可能となる一方、この受け渡し対象の貨幣処理機器５の受渡対象識別情報データと一致しない場合に貨幣の出庫が不可となる。これにより、受け渡し対象の貨幣処理機器５に近接する位置にある場合に貨幣の出庫が可能となり、受け渡し対象の貨幣処理機器５に近接する位置にない場合に貨幣の出庫が不可となって、受け渡し対象の貨幣処理機器５を取り違えてしまう可能性を低減可能となる。
【０１０１】
本実施形態の貨幣処理方法によれば、現金管理装置４の位置によって変化する位置情報を検出し、この現金管理装置４の位置情報に基づいて、現金管理装置４における貨幣の入庫および出庫の可および不可を制御することになる。これにより、貨幣の入庫が行われるのに相応しい位置に現金管理装置４があるときに貨幣の入庫を可能とし、貨幣の入庫が行われるのに相応しくない位置に現金管理装置４があるときに貨幣の入庫を不可とし、貨幣の出庫が行われるのに相応しい位置に現金管理装置４があるときに貨幣の出庫を可能とし、貨幣の出庫が行われるのに相応しくない位置に現金管理装置４があるときに貨幣の出庫を不可とすることができる。よって、受け渡し対象物を取り違えてしまう可能性を低減可能となる。
【０１０２】
また、位置情報として現金管理装置４がいずれの貨幣処理機器５に近接する位置にあるかを検出し、現金管理装置４が近接する位置にあることが検出された貨幣処理機器５の受渡対象識別情報データが、予め設定された受け渡し対象の貨幣処理機器５の受渡対象識別情報データと一致する場合に貨幣の出庫を可能とする一方、この受け渡し対象の貨幣処理機器５の受渡対象識別情報データと一致しない場合に貨幣の出庫を不可とする。これにより、現金管理装置４が、受け渡し対象の貨幣処理機器５に近接する位置にある場合に貨幣の出庫を可能とし、受け渡し対象の貨幣処理機器５に近接する位置にない場合に貨幣の出庫を不可とすることができ、受け渡し対象の貨幣処理機器５を取り違えてしまう可能性を低減可能となる。
【０１０３】
上記の実施形態では、現金管理装置４に設けられたタグリーダ４ａと貨幣処理機器５に設けられたＩＣタグ５ａとで、現金管理装置４の位置によって変化する位置情報として現金管理装置４がいずれの貨幣処理機器５に近接する位置にあるかを検出するようにした。これ以外にも、例えば、現金管理装置４にキャスタ３８の向きおよび回転を検出する機構を設け、この機構で検出を行いながら、現金管理装置４を予め店舗内で移動させて、店舗内の各貨幣処理機器５に近接する位置情報をマップ上に載せたデータを作成し、その後、キャスタ３８の向きおよび回転を検出することで、現金管理装置４がいずれの貨幣処理機器５に近接する位置にあるかを検出するようにしても良い。また、店舗天井の各貨幣処理機器５の上方位置や各貨幣処理機器５にＬＥＤランプを設置し、ＬＥＤランプをそれぞれ異なる高周波数で点滅させると共に、現金管理装置４に、近接するＬＥＤランプの周波数を検出する検出装置を設けて、この検出装置が検出した周波数によって現金管理装置４がいずれの貨幣処理機器５に近接する位置にあるかを検出するようにしても良い。また、可視光通信を採用し、上記設置したＬＥＤランプを高速に点滅させ、光のオン・オフ等に対応させて当該設置位置に対応する貨幣処理機器５の受渡対象識別情報データをデジタル伝送し、現金管理装置４にこのデータを受信可能な受信装置を設けるようにしても良い。
【０１０４】
現金管理装置４の位置によって変化する位置情報として現金管理装置４がいずれの貨幣処理機器５に近接する位置にあるかを検出するようにしたが、現金管理装置４が店舗内のいずれのエリアにあるかを検出するようにしても良い。この場合、窓口に近いエリアに現金管理装置４があることが検出されている場合に、その管理装置制御部２５は、上記貨幣補充処理と同様にして現金管理装置４から貨幣を出庫させたり、上記貨幣回収処理と同様にして現金管理装置４に貨幣を入庫させたりすることができる。これらの場合、管理装置制御部２５は、例えば、これらの出庫および入庫を、窓口で行われる顧客出金および顧客入金として処理することになる。
【０１０５】
また、店舗奥側のエリアに現金管理装置４があることが検出されている場合に、その管理装置制御部２５は、上記貨幣補充処理と同様にして現金管理装置４から貨幣を出庫させたり、上記貨幣回収処理と同様にして現金管理装置４に貨幣を入庫させたりすることができる。これらの場合、管理装置制御部２５は、例えば、これらの出庫および入庫を、店舗奥側で行われる本部と店舗との間の回金として処理することになる。また、締上前に現金管理装置４が予め決められた移動可能エリア外に出た場合にアラームを発生させ、その旨を報知するようにしても良い。
【０１０６】
上記の実施形態において、現金管理装置４の位置情報に基づいて現金管理装置４の貨幣の入庫および出庫のいずれか一方のみの可および不可を制御するようにしても良い。つまり、現金管理装置４の位置情報に基づいて現金管理装置４の貨幣の入庫および出庫の少なくともいずれか一方の可および不可を制御するようにすれば良い。
【０１０７】
なお、上記各実施形態では、操作者の認証は、磁気カードやＩＣカード等のＩＤカードを用いて行う場合について説明したが、操作者の指紋あるいは静脈等の生体情報を用いた認証手段であってもよいし、これらを併用してもよい。
【符号の説明】
【０１０８】
１  貨幣処理システム
２  出納機（制御装置）
４  現金管理装置（貨幣入出庫装置）
４ａ  タグリーダ（位置情報検出手段）
５  貨幣処理機器
５ａ  ＩＣタグ（位置情報検出手段）
２５  管理装置制御部（制御手段）
【図１】
0006726470.tif 000002
【図２】
0006726470.tif 000003
【図３】
0006726470.tif 000004
【図４】
0006726470.tif 000005
【図５】
0006726470.tif 000006